(57)【要約】【課題】少量の使用で優れた発色性を発揮し、チキソトロピック性も低い着色剤を提供すること。【解決手段】本発明の構成は、色素物質のイオン交換法で分子吸光係数を高め、これによりP/BのＢ（樹脂）を増加できる余地を作り、次いで、樹脂の役割である、極性基濃度を上げる効果とその質を高める組成を設計採用し、出来るだけ分子吸光係数の限界値に到達を可能ならしめ、この間のプロセス阻害因子を排除するという内容となっている。【選択図】なし【特許請求の範囲】
【請求項１】
精製色素物質と精製バインダー樹脂とを含む着色剤であって、
粉末状色素物質の脱イオン水中の分散液をアニオン交換樹脂及び／又はカチオン交換樹脂に接触させることにより、該分散液の電気伝導度が25μS/cm以下になるまでイオン交換を行って、精製色素物質を得；
カルボキシル基濃度又はカルボキシル基濃度とヒドロキシル基濃度との和が0.001 mol/ml以上になるように調製されたバインダー樹脂の水溶液又は有機溶剤の溶液をアニオン交換樹脂及び／又はカチオン交換樹脂と接触させて、精製バインダー樹脂溶液を得；
該精製色素物質及び該精製バインダー樹脂溶液を混練して、着色剤前駆体を得；
該液状着色前駆体を、アニオン交換樹脂及び／又はカチオン交換樹脂に接触させた後、５０００〜１５０００ｒｐｍの超高速遠心分離に付すことにより得られる、上記着色剤。
【請求項２】
精製色素物質と精製バインダー樹脂とを含む着色剤前駆体であって、
粉末状色素物質の脱イオン水中の分散液をアニオン交換樹脂及び／又はカチオン交換樹脂に接触させることにより、該分散液の電気伝導度が25μS/cm以下になるまでイオン交換を行って、精製色素物質を得；
カルボキシル基濃度又はカルボキシル基濃度とヒドロキシル基濃度との和が0.001 mol/ml以上になるように調製されたバインダー樹脂の水溶液又は有機溶剤の溶液をアニオン交換樹脂及び／又はカチオン交換樹脂と接触させて、精製バインダー樹脂溶液を得；
該精製色素物質及び該精製バインダー樹脂溶液を混練することにより得られる、上記着色剤前駆体。
【発明の詳細な説明】
【技術分野】
【０００１】
本発明は、塗料、インキ、プラスティックス、或いは光を利用したＩＴ機器部品に使用されるコーティング材等に使用される材料の分野において、該材料の着色の用に供せられる着色剤（カララント）に関する。さらに詳しくは、該着色剤（カララント）において、該カララントを構成する色素物質が本来持っている吸収スペクトルを最大限に活用することにより、発色性の優れたカララントを得るための該カララントの製造方法に関する。
【背景技術】
【０００２】
上記の技術分野において使用される色づけされている材料は、一般に、顔料又は染料等の色素物質を使用目的に適合するバインダーとなる、主として樹脂物質の中に直接的に分散する手法により製造されるか、或いは、あらかじめこれらの色素物質を同様の手法により、高濃度の色素物質を含む着色剤（カララント）として製造しておき、この着色剤（カララント）を使用目的に適合するバインダーとなる、主として樹脂物質の中に稀釈混合して製造されるかのいずれかである。
従って、本分野における使用目的の急速な高度化に伴い、色づけされている材料に課せられる品質改良要求は、必然的にこれらの二つの製造手法に対して、より技術的難度の高い手法の開発が要求される結果となっている。
この要求に対して、色素物質原料については要求される微妙な色調と色強度を満たす物質の開発、色素物質の表面処理法、色素物質の複合化法、微粒子化法などの開発努力が為されているのは万人の認めるところである。
【０００３】
また色素物質を使用した色づけされている材料の性能を支配するもう一つの原料であるバインダー用の樹脂については、持ち込まれるフィラーである色素物質の性能を阻害しないような不純物の少ない樹脂の開発努力（特許文献１参照）、色素物質を分散するに適した分散用樹脂としての両性電解質樹脂も提案されている（特許文献２参照）。
さらに、これらの原料を利用して色づけされている材料を得るための前記2通りの製造法については、色素物質の中の不純物をイオン交換で除去して分散させる手法（特許文献３参照）、色素物質を樹脂で包み込み、マイクロカプセル化する手法（特許文献４、特許文献５、及び特許文献６参照）、分散機を利用した微粒子分散法（特許文献７参照）などが考案され実用化されている。
【０００４】
しかし、既に市場に存在する色素物質について、その持っている特性を利用する側で本来その色素物質の持つ色の強度を高めることによって少量の使用量で優れた発色性を得るための手法を開発する努力は従来なされておらず、これからの段階のように思われる。
【０００５】
【特許文献１】特許第３１９３９０５号明細書
【特許文献２】特許第２９６３８９７号明細書
【特許文献３】特許第３０６９５３７号明細書
【特許文献４】特許第２８７９０２９号明細書
【特許文献５】特許第３０５１７２３号明細書
【特許文献６】特許第３０９３５６６号明細書
【特許文献７】特許第３０６９５５０号明細書
【発明の開示】
【課題を解決するための手段】
【０００６】
本発明者らは、既に開発された色素物質を尊重し、この色素物質について、利用する側で、その本来色素物質が持っている色の強度を高めることによって少量の色素物質使用量で優れた発色性を得るための手法を開発出来ないかということを考え、鋭意研究した結果、本発明を完成した。
【０００７】
本発明者らは上記の課題に対する手法を下記４点の技術的観点で捉え研究を進めた。
先ず第一に、色素物質は含有する不純物電解質を核にして凝集しており、これをイオン交換すると凝集体が壊れ本来の該色素物質の持つ粒子径分布を示すようになる事は分かっている（特許文献３参照）。そして、該凝集体を破壊しバラバラの粒子とした時、色素物質の近紫外部と可視光線部に示す分子吸光係数に何らかの変化を生じるかどうか検討を行なった。その結果、本発明者らはイオン交換により色素物質の凝集体を破壊し色素物質の粒子をバラバラにすると、色素物質の近紫外部と可視光線部に示す分子吸光係数はイオン交換を行なわないで凝集体の存在する状態の該領域のスペクトルに比べて極大吸収波長のシフトが生じ、分子吸光係数の値は増大することを見出した。即ち、色素物質の使用量を減らせる有効な手法を見出した。
【０００８】
第二に、色素物質を分散せしめるバインダー樹脂は通常ラジカル溶液重合で合成されるものであるため、重合工程では重合成分である単量体中に重合禁止剤が添加される。従って、通常、重合終了後も、この重合禁止剤の反応物、及び重合反応を開始させる開始剤の反応物が残存してしまう。さらに、重合成分である単量体自体も１００％重合反応を完結させない限り、残存してしまう。そのような重合体をそのまま使用すると、
Ａ）分散体を加熱使用する時などではバインダー樹脂自体が着色し、色素物質の本来の分子吸光係数と重なる結果となり色調をそこね；
Ｂ）もし重合成分が酸性の単量体であれば色素物質の凝集を促進する。
これらは、色素物質の本来の発色を阻害する要因である。したがって、これらの不純物は除去すべきであると予想される。
【０００９】
本発明者らは、上記要因を排除する方法として、イオン交換手法が活用できないか検討を行なった。その結果、通常の工程で製造された該バインダー樹脂に対し、イオン交換手法を適用しない限り、発色性に優れたカララントの製造にあたって高温履歴を伴う材料としての該樹脂の利用は不可能であるとの知見を得た。即ち、発色性に優れた着色剤用のバインダー樹脂にはイオン交換手法による高純度化が重要であることを見出した。
【００１０】
第三に、色素物質の近紫外部と可視光線部にある分子吸光係数（吸収スペクトル）について、色素物質の置かれた環境によって吸収極大波長及び吸収強度が変わること（溶剤効果）は良く知られた現象である。本発明者らは、この現象が色素物質とバインダー樹脂との関係において如何なる因果関係を持つのか、本発明の目的を克服するにはどうすればよいか、の観点での検討を行なった。その結果、色素物質の近紫外部と可視光線部に示す分子吸光係数（吸収スペクトル）は、色素物質の化学的構造の如何を問わず、該色素物質が存在するときの空間的雰囲気の化学的特性に左右されて変化し、極めて単純に、液体中であっても、樹脂の中の如き固体中であっても、ＯＨ基あるいはＣＯＯＨ基のような極性基の単位体積中のモル数に比例して増大して変化するという現象を見出した。しかも、その程度は液体の中より、固体である樹脂中の方が大きな分子吸光係数を示すことも見出した。
【００１１】
第四の観点として、本発明者らは本発明の課題である既存の色素物質の使用法を工夫することで少量の色素物質で優れた発色性を有する着色剤を得た時に、その使用上から予測される要求条件は何か、其の対策はどうすればよいか、の観点を検討した。
その結果、
１）自発的に原料中の不純物の除去精製手段を講じても、外部的に、各工程の狭間で混入される不純物の影響はどの程度か、またその対策をどうするかについて検討を行った。
この問題は極めて重要で、実際、精製色素物質を精製された高い極性基濃度のバインダー樹脂或いは樹脂溶液に分散させて得られる着色剤であっても、そのままでは分散液がチキソトロピックになり易く使用しにくい事実をつきとめた。これは外部的に持ち込まれる不純物電解質により弱い凝集構造をとりやすいためかと思われる。本発明者らは、この問題が、最終工程にイオン交換工程を再度導入することで解決できるという知見を得た。
【００１２】
２）精製色素物質を精製バインダー樹脂と組み合せることにより高い分子吸光係数をもつカララントが得られ、これは結果的に薄膜仕上げの用途向けとなる。しかし、薄膜仕上げの用途では従来のコーティング材のように厚い膜厚で塗装膜欠陥をカバーできなくなるので、粒子径分布と、膜のレベリングを支配する流動性の平面均一性とが厳しく要求されるので結果的に高い純度が条件となるはずである。本発明者らは、最終工程で粗粒子分離工程と、任意によりイオン交換工程とを導入することで上記の条件を満たすことができるという知見を得た。
【００１３】
３）また、着色剤に電気的な絶縁性が要求される場合、薄膜化につれて、膜の体積固有抵抗の一定性が膜を形成するコーティング材中の不純物電解質によって失われていくことが分かっている（砂盛・木村；塗装の技術、Vol.11，4-11,（1976））。この問題に対する対策として、本発明者らは、イオン交換による不純物電解質の除去工程を必須条件として最終工程で導入すればよいという知見を得た。
【００１４】
即ち、本発明は、第一の態様において、着色剤の製造方法であって、
粉末状色素物質の脱イオン水中の分散液をアニオン交換樹脂及び／又はカチオン交換樹脂に接触させることにより、該分散液の電気伝導度が25μS/cm以下になるまでイオン交換を行い、精製色素物質を得る工程；
カルボキシル基濃度又はカルボキシル基濃度とヒドロキシル基濃度との和が0.001 mol/ml以上になるように調製されたバインダー樹脂の水溶液又は有機溶剤の溶液をアニオン交換樹脂及び／又はカチオン交換樹脂と接触させて、精製バインダー樹脂溶液を得る工程；
該精製色素物質及び該精製バインダー樹脂溶液を混練して、着色剤前駆体を得る工程；及び
該着色剤前駆体を、アニオン交換樹脂及び／又はカチオン交換樹脂に接触させる工程；
を含む、上記方法に関する。
また、本発明は、当該方法より得られる着色剤等にも関する。
【発明の効果】
【００１５】
本発明の製造方法によれば、多目的に使用される着色剤について、色素物質の本来持っている色についての特性を最大限に引き出す事が出来、結果として、少量の使用で優れた発色性を発揮できる着色剤の提供が可能となる。
従って本発明の製造法で製造された着色剤（カララント）は、塗料、インキはもとより、カラーフィルター、カラー複写機、カラープリンター等のＩＴ機器用のパーツ、トナー、インキ、及びこれから開発されてくるナノメーターサイズの着色剤用途に活用され得るものである。また、本発明の着色剤はチキソトロピック特性も低いという利点を有する。
【発明を実施するための最良の形態】
【００１６】
さらに詳しく本発明の実施の形態を説明する。
本発明の、電解質不純物を強制的に除去精製された色素物質と同じく電解質不純物を強制的に除去精製されたバインダー樹脂とを含む着色剤（カララント）の製造方法に関して、まず、電解質不純物を強制的に除去精製された色素物質（精製色素物質）を得る工程について詳しく説明する。この工程は３段階を含み得る。
【００１７】
まず、第一の段階として、粉末状色素物質を脱イオン水中に分散させる。これは、該色素物質中の不純物電解質をイオン交換により除去するために固体色素物質の水分散液を調製するためである。
【００１８】
粉末状色素物質は親水性の物質であっても表面に存在する空気相のためか、水に対して濡れにくい状態にあるので水分散液とするには独特の配慮が必要である。これはメリケン粉を水に分散させる手法と類似している。粉末状色素物質は親水性或いは疎水性を問わず、粉末状の固体色素物質に対して少量づつ脱イオン水を添加しながら捏ねていくとき、パン生地状になるのに概ね該色素物質重量１に対し0.8乃至1.2重量の脱イオン水が必要で、流動化するには概ね全量で1.5乃至2.0重量を必要とする。流動化後は多量の脱イオン水で稀釈しスラリー状にすることが出来る。
【００１９】
従って、この過程を忠実に遂行すれば、脱イオン水のみを用いて、ほとんどすべての粉末状の固体色素物質のスラリー状の分散液を得ることが出来る。
【００２０】
従来は、この過程でアルコール等の水に可溶な有機溶剤を使う傾向にあったが、これらの溶剤を使用すると、水に比べて少量で流動化するが、結果的に色素物質不純物電解質を抱き込んだままの大きな粒子となりがちで、第二工程のイオン交換の効率を低下させるので好ましくない。
【００２１】
粉末状の固体色素物質の凝集核となっている不純物電解質を引き出すためには、第二段階で除去できる酢酸或いはアンモニア水のような酸或いは塩基物質を少量添加するのが好ましい。この場合の添加量は該色素物質重量１に対し0.005乃至0.02重量程度に抑えるのが賢明である。
【００２２】
本段階におけるパン生地状化、流動化、稀釈スラリー化の過程で重要なのはパン生地状化、流動化の過程であり、この過程での脱イオン水の添加速度には配慮が必要である。目安としては、例えば、該色素物質重量１に対し0.1/min乃至0.25/minの範囲で行い、特に、パン生地化で0.1/min、流動化で0.25/minの添加速度で行なうことが好ましい。スケールに関係なく時間で３０分程度で完了することができる。
【００２３】
本工程に使用できる脱イオン水は1μS/cm以下が好ましいが、5μS/cm以下であれば十分である。
【００２４】
また好ましい設備としてはパン生地状化、流動化、の過程ではヘンシェルミキサーを300rpm程度で使用するかそれに類似した設備であればよく、遊星運動を行なうパン生地用混練機、リボン攪拌機、或いは塗料用のニーダー等も使用可能である。
【００２５】
稀釈攪拌過程では揚程15乃至20mの遠心ポンプでスケールに応じた吐出量を持つものを選択すればよい。その目安は毎時３−５ターンの循環量が得られる物を使用し、第二段階での使用と兼用するのが好ましい。
【００２６】
次に稀釈して得られる分散液の濃度をどの程度にするかは極めて重要で、凝集核の不純物電解質を引き出すには出来るだけ希薄な濃度であることが好ましい。５重量％以上でも実施は可能であるが、ハンドリング上から2乃至5重量％の濃度が好ましい。５重量％以上で行なうと分散粒子間の相互作用のため粘性が増加するため、粘度の低い系以外では回避すべきである。
【００２７】
本発明で対象とする色素物質は有機、無機の区別なく、また染料、顔料の区別もなく、水に可溶でなければ使用できる。主なものを例示すると次のようになる。塗料、インキをはじめ、カラーコピー用トナー、カラーフィルターなどに使われる着色機能を持つ、二酸化チタン、透明べんがら、べんがら、紺青、群青、コバルトブルー、硫酸バリウム、シリカ、マイカ、黒鉛、鉄黒、カーボンブラック等の無機顔料及びこれらの複合顔料；さらにはモノアゾレッド、キナクリドンレッド、モノアゾレッドＭｎ塩、モノアゾボルドーＭｎ塩、モノアゾマルーンＭｎ塩、アンサンスロンレッド、アンスラキノニルレッド、ペリレンマルーン、キナクリドンマゼンタ、ペリレンレッド、ジケトピロロピロール、ベンズイミダゾロンオレンジ、キナクリドンゴールド、モノアゾエロー、シスアゾエロー、イソインドリノンエロー、金属錯塩アゾエロー、キノフタロンエロー、ベンズイミダゾロンエロー、銅フタロシアニングリーン、臭素化フタロシアニングリーン、銅フタロシアニンブルー、インダスレンブルー、ジオキサンバイオレッド、ファストエローグループ、パーマネントエローＨＲ、アセトアニリド系モノアゾエロー、レーキレッド４Ｒ、パーマネントカーミンＦＢ、ブリリアントファストスカーレト、ピラゾロンレッドＢ、ウオッチングレッド金属塩類、リソールレッドＢａ塩、ブリリアントカーミン６Ｂ、ボルドー１０Ｂ、ローダミン６Ｇレーキ、縮合系アゾレッド、ナフトールＡＳレッド、などの有機顔料類；あるいは耐水性を有する蛍光顔料類、などが対象となる。
【００２８】
また、化粧品、インキ等使用される水にとけにくい色素類も対象となる。他に、近赤外吸収能を有する色素類、エレクトロクロミック色素類、フォトクロミック色素類、偏光フィルム用の二色性色素類、サーモクロミック色素類、及びピエゾクロミック色素類などの機能性色素も対象となる。また紫外線等の吸収能を有する紫外線吸収剤類も対象となる。
【００２９】
次に第二段階を説明する。本段階は上記に説明した色素物質の水分散液をカチオン交換及び／又はアニオン交換することにより、先の稀釈分散段階で化学平衡に従って該分散液中に排出されてきた不純物電解質、即ち、色素物質の凝集体の核となっていた不純物電解質を除去すると共に、分散液中の不純物電解質濃度の減少に伴う平衡のずれに従って、さらに排出されてくる不純物電解質を合わせて除去する段階である。
【００３０】
イオン交換を行う方法は、特に制限されない。好ましくは、平均粒子径が約0.8mm〜1.5mmの一般のイオン交換樹脂を用いる。これが分散液中に漏れないようなメッシュサイズのステンレス製の金網或いは相当する機能を有するフィルターを、円筒状の硬質塩化ビニル製の容器の上下に備えたものに、イオン交換樹脂を充填したものを用いて行う。該容器の構造は高さＬと直径Ｄとの比が１から５の範囲になるようにしてあるのが好ましい。カチオン交換及びアニオン交換の両方を行う場合、このような容器を２基用いることができ、この中の一つにＯＨ型にあらかじめ活性化された不純物イオンを含まないアニオン交換樹脂を、例えば体積充填率で0.3乃至0.8の体積充填率範囲で充填したものを用意し、もう一方には同様の条件であらかじめＨ型に活性化されたカチオンイオン交換樹脂を充填する。
【００３１】
本イオン交換段階では分散液の中の分散粒子はイオン交換前は大きい粒子径のものから細かいものまで幅広い粒子径分布を持つが、イオン交換段階により、細かくなっていく。したがって、留意事項としては、前記イオン交換塔の上下に設置するフィルターの網目サイズが重要となる。使用可能なサイズは30乃至は100メッシュで好ましくは50メッシュである。また塔内を循環させるには、線速度をできるだけ小さくし、流量を大きく出来るように、Ｌ／Ｄを出来るだけ小さくした方がよい。
【００３２】
また、充填率も塔内の樹脂の移動が可能なようにあまり大きくしない方が好ましい。さらに、循環ポンプは第一段階に記載のものが共用できる。但し、ポンプの吸引側に塔上下に設置したメッシュと同じかそれより細かいメッシュのものを挿入するとよい。イオン交換の速度は速いので、分散液の量と不純物推定量と設定交換時間を勘案し、必要イオン交換樹脂量を決め、循環速度を求めればよい。目安としては毎時２乃至５ターンの循環量で３０分程度で終了する様にすればよい。
【００３３】
分散液の性質即ち不純物電解質の性質に依存するが、カチオン交換及びアニオン交換の両方を行う場合、どちらを先にするかの選択が必要となる。選択の基準はそのイオン交換によって沈降し難い方を先に行なえばよい。また、イオンの電解質の種類によっては交互に繰り返す必要もある。精製完了は分散液の電気伝導度の交換時間による変化を追跡し、測定値がおよそ分散粒子の持つ電気伝導度の値を示すまで続行すればよい。目安としては５重量％濃度の分散液で25μS/cm以下、2-3重量％濃度で10μS/cm以下程度でよい。
【００３４】
本段階では、一般的なイオン交換樹脂を用いることができ、強塩基型アニオン交換樹脂、弱塩基型アニオン交換樹脂、強酸型のカチオン交換樹脂、弱酸型のカチオン交換樹脂のいずれも使用できる。また、イオン交換樹脂の構造については特に制限はない。ポーラス型でもゲル型でもよい。これらの選択は対象とする電解質の性質と分散液のｐＨで原則的には選択すべきである。しかし、一般的に無難な使用法で効果があるのは強塩基型アニオン交換樹脂のダイヤイオンSA-20AとダイヤイオンWK-10が使いやすい。
本段階により、精製色素物質の分散液が得られる。
【００３５】
次に精製色素物質の分散液は好ましくは第三段階に付される。本段階は第二段階で得られた精製色素物質の分散液から精製色素物質を取り出す段階である。微粒子となった該精製色素物質を取り出すのであるから、濾過材の選択と濾過機の選択が重要となる。例えば、最も簡単な方法は湿強度の大きな厚みの厚い工業ろ紙をブロード布で裏打ちし、フィルタープレス機で分散精製色素物質粒子を濾過助剤として利用し濾過すればよい。またサラン材のポアサイズの小さい濾過材で同様の助剤濾過をすればよい。
【００３６】
濾過液は一部、第二段階で使用ずみのイオン交換塔の循環洗浄に使用し、濾過前の分散液に戻しクローズド系で使用するのが原則である。
濾過液は通常透明で2μS/cm以下のろ液となり、粒子がリークしてもかすかに着色している程度であり、ろ液の加熱残分は高々０．０３％程度で同じ色素物質の第一段階の脱イオン水として使用可能である。
得られた水を含むケーキ状の精製色素物質は物質の種類、及び濾過段階での水分の絞りかたにもよるが、加熱残分で概ね40乃至65％となる。
好ましくは得られた水を含むケーキ状の精製色素物質は乾燥を避けて密閉保管し次の工程で使用する。
【００３７】
次に本発明の着色剤の構成成分の一つであるバインダー用の樹脂は、使用される精製色素物質の分子吸光係数が、該物質を取り巻く化学的環境、即ち、「酸基若しくはヒドロキシル基等の極性基が単位体積中に存在する濃度（mol/ml表示）に比例して増大する」という事実に基づき、忠実に選定することが好ましい。
極性基であればよいという条件で選定するとアミノ基やスルホン基、−SH基も対象には入る。これらの極性基は多様の反応性を持つため、色素が関与する本発明では、使用に慎重にならざるを得ないが、本発明の手法の改良展開によっては使用可能となり得るであろう。本発明者らは、好ましい極性基をカルボキシル基とヒドロキシル基に限定し、これらの極性基の空間的濃度を特定することとした。
【００３８】
従って、本発明において、バインダー樹脂は、0.001 mol/ml以上のカルボキシル基濃度又は0.001 mol/ml以上のカルボキシル基濃度とヒドロキシル基濃度との和を有する。
【００３９】
好ましくは、本発明におけるバインダー樹脂は、カルボキシル基を含有するα、βエチレン性重合性単量体の少なくとも一種とカルボキシル基もヒドロキシル基も含まないα、βエチレン性重合性単量体の少なくとも一種との共重合体であって、該ポリマー中のカルボキシル基濃度が0.001 mol/ml以上になるように調製され、溶液重合により得られる共重合体（Ａ）、
カルボキシル基を含有する重合性単量体の少なくとも一種とヒドロキシル基を含有するα、βエチレン性重合性単量体の少なくとも一種とカルボキシル基もヒドロキシル基も含まないα、βエチレン性重合性単量体の少なくとも一種との共重合体であって、該共重合体中のカルボキシル基濃度とヒドロキシル基濃度の和が0.001 mol/ml以上になるように調製され、溶液重合により得られる共重合体（Ｂ）、
のいずれか一つ或はその組合せである。バインダー樹脂とする、該樹脂の水性或は有機溶剤の溶液を用いればよい。
【００４０】
これら３種の樹脂の合成法は通常の溶液重合法で６０℃乃至１５０℃の重合温度で、一般的に用いられる重合開始剤を用いて溶液重合すればよい。重合溶剤の制限は特にないが、後続の工程である精製色素物質との混練工程で便利な溶剤を選択すればよい。使用出来る物溶剤の例としては次のものが挙げられる：メタノール、エタノール、イソプロピルアルコールなどのアルコール類；アセトン、メチルエチルケトン、メチルイソブチルケトン、シクロヘキサノンなどのケトン類；エチレングリコール、プロピレングリコールのモノ或いはジアルキルエーテル誘導体類；酢酸エチル、酢酸ブチルなどのエステル類；トルエン、キシレン等の芳香族溶剤類の単独溶剤又は混合溶剤。
【００４１】
また、重合した後、水も含めて、上記溶剤類で稀釈して使用してもよい。
重合開始剤としては、アゾビスイソブチロニトリル等のアゾ化合物開始剤、tert-ブチルパーオキサイド等の過酸化物開始剤等、通常の一般的開始剤が使用できる。
【００４２】
前記各種のα、βエチレン性重合性単量体について説明すると、カルボキシル基含有のα、βエチレン性重合性単量体についてはアクリル酸、メタクリル酸などの１塩基酸、クロトン酸、シトラコン酸、イタコン酸等の2塩基酸あるいはそれらのモノエステル等が用い得る。
【００４３】
ヒドロキシル基含有のα、βエチレン性重合性単量体については２−ヒドロキシエチル（メタ）アクリレート、２−ヒドロキプロピル（メタ）アクリレート等が用いられる。
【００４４】
ヒドロキシル基もカルボキシル基も含有しないα、βエチレン性重合性単量体については、スチレン、（メタ）アクリル酸エステル類、その他極性基を含有しない疎水性の単量体等が使用できる。
【００４５】
上記の各種樹脂においてただ極性基濃度だけを設計指標として合成すればよい。該色素物質の分子吸光係数はカルボキシル基或いはヒドロキシル基の単位体積1ml当たりの極性基濃度に比例して増大するのであるから、必要な分子吸光係数の値が分かれば、それに見合う単位体積1ml当たりの極性基濃度を知ることによって、バインダー樹脂の比重が極性基の導入と共に大きくはなるが概ね1.1乃至1.4の範囲にあるので、該ヒドロキシル基含有或いはカルボキシル基含有のα、βエチレン性重合性単量体のバインダー樹脂への導入量を推定出来るのである。
【００４６】
好ましい極性基濃度（カルボキシル基濃度又はカルボキシル基の濃度とヒドロキシル基濃度との和）は0.001mol/ml以上で、出来るだけ大きな値で設計することが分子吸光係数の向上につながる。限度は各樹脂の官能基含有単量体のみだけで合成された樹脂の示す濃度である。
これ以下でも該極性基の導入効果はないわけではないが、顕著な効果は期待できない。
【００４７】
本発明では上述の手法で得られたバインダー樹脂溶液をさらにイオン交換によって精製する。精製目的は重合段階で持ち込まれる、重合性単量体にあらかじめ添加されている重合禁止剤、重合中に生成する開始剤の副反応物、残存する極性基を持った未重合の単量体、或いは重合溶剤中に含まれる不純物電解質等を除去するためである。
【００４８】
これらの不純物が混在すると、該バインダー樹脂が精製色素物質と混合或いは混練された後、高温履歴を受けたり、混合或いは混練され製品として組み込まれたものが長期の使用に供されている間に着色等を引き起こし折角の精製色素物質の示すスペクトルによる色調を阻害するからである。
【００４９】
本発明におけるバインダー樹脂の精製法（イオン交換法）は特に制限されない。好ましくは、上述のバインダー樹脂溶液に対して、あらかじめＯＨ型に活性化してあるアニオン交換樹脂及び／又はＨ型に活性化してあるカチオン交換樹脂を10ミクロンから1000ミクロンの間に粒子径分布を持つ粉末状に粉砕し、必要に応じて乾燥した粉末イオン交換樹脂を0.1乃至10重量％の範囲で添加攪拌したのち該粉末イオン交換樹脂を除去することで達成される。
【００５０】
このイオン交換は、カチオン交換及びアニオン交換の両方を行う場合、どちらを先に行なってもよい。二つのイオン交換樹脂粉末を同時に添加攪拌してもよいし、またカチオン交換及びアニオン交換を交互に繰り返してもよい。粉末によるイオン交換は有機溶剤中でも水中でも同等のイオン交換効果をもたらす。
【００５１】
使用できるイオン交換樹脂は先に記述した種類あるいは構造のものが使用できる。イオン交換に要する時間は特に制限されないが、３０分以上行なえば十分である。
【００５２】
上記のイオン交換樹脂の粉末化にはボールミル、擂り鉢様粉砕機、石臼様粉砕機等を用いることができる。
【００５３】
また、上記バインダー樹脂溶液からイオン交換後の粉末イオン交換樹脂を除去するには、濾過材面に垂直方向に粒子を捕捉できる濾過材を用いるか、同様な機能を発現する濾過助剤を用いて加圧濾過することで簡単に除去できる。
【００５４】
かくして得られる精製バインダー樹脂溶液は単独で100ミクロンの塗装膜として強制的に250℃で数時間の熱履歴を与えても光学的に500nm以下の波長領域での吸光度は示さなくなり、はじめて、精製色素物質の本来の持つ吸収スペクトルを阻害しない、優れたバインダー樹脂として利用でき、本発明の1要素を構成することができるのである。
【００５５】
次に、該精製色素物質及び精製バインダー樹脂とから本発明の着色剤（カララント）を得るための着色剤前駆体の製造工程について説明する。
【００５６】
着色剤前駆体は、精製色素物質と精製バインダー樹脂溶液とを混練することにより得られる。
【００５７】
本工程では、通常の塗料、インキ、マスターバッチを製造する設備が利用できる。ただ異なる点は、上述してきたように、色素物質が再凝集する要因である不純物電解質をもたない材料を用いることと、すでに色素物質は凝集体が破壊されていて、その本来持っている粒子径分布となっているので極めて易分散の条件で遂行されるため、従来の工程での難しさは軽減されている点である。
【００５８】
具体的には、例えば、該着色剤前駆体は、蒸留装置と混練装置を具備した混練機で該精製色素物質と該精製バインダー樹脂とを加熱混練しながら、吐き出してくる、該精製バインダー樹脂溶液に由来する液体を減圧もしくは常圧下の条件で蒸留することによって得られる該精製バインダー樹脂中に該精製色素物質が分散されている固形状の分散体又は必要に応じて使用目的にかなう媒体に溶解させた液状着色剤前駆体；
通常の液状混練装置、すなわち、ボールミル、サンドグラインダー、あるいはジルコニアビーズを使用する分散機等で該バインダー樹脂溶液中に該精製色素物質を分散することで得られる液状着色剤前駆体；又は、
通常の攪拌機で該精製色素物質と該精製バインダー樹脂溶液とを混合するだけで該バインダー樹脂溶液中に該精製色素物質が分散されている液状着色剤前駆体；
として得られ得る。
【００５９】
かくして得られた着色剤前駆体は上記の通り新たな分散もしくは溶解という段階を経て出来上がるので、かかる段階で持ち込まれる何らかの不純物が色素物質の凝集を引き起こす恐れがある。したがって、本発明の着色剤（カララント）とするためには、該着色剤前駆体をイオン交換に付す。
【００６０】
該着色剤前駆体をイオン交換に付す工程は本発明の着色剤（カララント）を得る最終工程であり、其の手法は特に制限されないが、好ましくは、前記バインダー樹脂溶液のイオン交換で採用した方法と同様に行うことができる。つまり、好ましくは、必要に応じて乾燥された、ＯＨ型に活性化されたアニオン交換樹脂及び／又はＨ型に活性化されたカチオン交換樹脂の10乃至1000ミクロンの粒子径分布を有する粉末を0.1乃至10重量％、該着色剤前駆体に添加攪拌し加圧濾過によって該粉末を除去することによって行われる。
【００６１】
イオン交換段階の後、必要に応じてさらに超高速遠心分離機で粗粒子を除去することができる。本工程における加圧濾過までの工程は前記バインダー樹脂溶液のイオン交換工程に準じて行なえばよい。
超高速遠心分離機で粗粒子を除去する工程では、邪魔になる粗粒子の粒子径にもよるが、市販の超高速遠心分離機を用い、例えば5000乃至15000rpmの範囲の最適条件で行なえばよい。
かくして本発明の発色性に優れた着色剤の製造方法が完成するのである。
【実施例】
【００６２】
本発明をさらに以下の例により例証する。
実施例１．色素物質のイオン交換法による精製（１）
【００６３】
銅フタロシアニンブルー顔料  L6700F  5kgを、巾15mm、長さ350mm、厚さ2mmのSUS製の板を弓状に加工した攪拌翼を有する可変攪拌機を備えた５基の丸底10Lの容器中に、それぞれ1kgづつ投入した。
【００６４】
次いで0.95μS/cmの脱イオン水を各容器に対して0.11kg/minの速度で添加しながら375rpm以下の回転速度で速度調節をしながら顔料をパン生地状になるまで混練した。所要時間は10分で所要脱イオン水量は1.1ｋｇであった。脱イオン水の添加速度を0.20kg/minにあげ、パン生地状の顔料を流動化した。この時の添加脱イオン水量は0.6kgであった。次いで５％の酢酸水溶液0.4kgを加えスラリー状にした。同様にして作成した５セットのスラリーをそれぞれ３５０Ｌの角型プラスチック容器に移し脱イオン水を加えて1.43乃至２％の分散液を得た。
【００６５】
この分散液に対して、硬質PVC製の内径200mm高さ400mmの両端に５０メッシュのSUS金網を備えた２基のイオン交換塔にそれぞれ、ＯＨ型に活性化したアニオン交換樹脂ダイヤイオンSA-20Aを８Ｌと、Ｈ型に活性化されたカチオン交換樹脂WK-10を８Ｌ充填し、カチオン交換及びそれに次いでアニオン交換を実施した。循環速度はカチオン交換時平均15.1L/min、アニオン交換時、平均12.9L/minで実施した。
【００６６】
イオン交換前後の分散液の各データは次の通りであった。
アイテム        容量        顔料濃度    電気伝導度μS/cm    ｐＨ  
イオン交換前      250L          2%            122.0            2.91
カチオン交換後    300L          1.67%          98.2            3.42
アニオン交換後    340L          1.43%          17.6            7.97
【００６７】
この精製分散液をフィルタープレスにかけ、精製プレストケーキを得た。フィルタープレス使用条件は次の通りであった。
圧力：0.15-0.2 MPa
濾過速度：3.3L/min
濾過液特性：電気伝導度＝14.1μS/cm
pH＝5.34
透明性：極微青色透明
加熱残分：0.03%
ケーキ特性：加熱残分：47.3%
ケーキ採取量：7kg
【００６８】
精製前後の色素物質について、蛍光Ｘ線分析による銅の定量を行った。結果を下記の表に示す。
サンプル名                    加熱残分％      銅原子濃度      
L6700F  RAW（未精製ケーキ）        40.37            47.60
L6700F  EX （精製ケーキ）          39.64            47.52      
【００６９】
この結果から、精製工程での顔料の破壊はないと判断できる。
【００７０】
また、精製前後の色素物質のスペクトル測定を行った。図１に分子吸光係数の測定結果を示す。図１に示すとおり、イオン交換精製によって著しく分子吸光係数が増大する。
【００７１】
実施例２．色素物質のイオン交換法による精製（２）
顔料として、Hostaperm Violet RL-Sp （Clariant製）を3kgスケールで用い、分散液濃度5%として、実施例１に準じて色素物質の精製を行った。その他の条件は次の通りである。
【００７２】
分散液作成条件：酢酸の代わりに顔料1kgあたりアンモニア0.010ｋｇ（５％アンモニア水で0.2kg）添加した以外は実施例１に同じ。
【００７３】
イオン交換条件：ポンプは揚程25.5mの遠心ポンプをギアポンプの代わりに使用し、流速を、アニオン交換時16L/min、カチオン交換時34.7L/minで実施した。イオン交換工程は、交互交換で行い、イオン交換前後の色素物質の各データは次の通りであった。
アイテム        容量        顔料濃度    電気伝導度μS/cm    ｐＨ  
イオン交換前      60L            5%            210.3          8.22
アニオン交換後    60L                          203.6          8.01
カチオン交換後    60L                          46.7           3.85
アニオン交換後    60L                          14.15          6.32  
【００７４】
この精製分散液をフィルタープレスにかけ、精製プレストケーキを得た。フィルタープレス使用条件は次の通りであった。
圧力：0.15-0.2 MPa
濾過速度：0.6L/min
濾過液特性：電気伝導度＝9.5μS/cm
透明性： 透明
加熱残分：0%
ケーキ特性：加熱残分：46.8%
ケーキ採取量：5.6kg  （歩留87.4%）
【００７５】
精製前後の色素物質のスペクトル測定を行った。図２に分子吸光係数の測定結果を示した。図２に示すとおり、実施例１と同様、Hostaperm Violet RL-Spを用いた場合もイオン交換精製によって著しく分子吸光係数が増大する。
【００７６】
実施例３．バインダー樹脂の合成と精製の効果
可変速攪拌機、還流コンデンサー、温度計、滴下漏斗を備えた２Ｌの4つ口フラスコに200重量部のＰＭＡ（プロピレングリコールモノメチルエーテルアセテート）を仕込み、ウオーターバスで８５℃まで昇温したのち、この温度を保ちながら、下記配合物を１２０分で滴下した。
ベンジルメタクリレート  ＢＺＭＡ                    144.6 重量部
メタクリル酸  ＭＡＡ                                 15.4 重量部
2-ヒドロキシエチルメタクリレート  ＨＥＭＡ           40.0 重量部
Dimethyl 2,2-Azobis(2-methylpropionate)  Ｖ601        1.5 重量部
【００７７】
さらに、２４０分この温度を保持した後、５０℃に冷却し、次いでＰＭＡ100重量部を加え攪拌希釈して樹脂溶液を得た。得られた樹脂溶液の特性は２５℃における粘度370.4 mPa・sec、150℃×2hrsの加熱残分38.7％、重量平均分子量約21.5×103、固形分換算酸価51.1であった。
【００７８】
この樹脂溶液200重量部に対して、ＯＨ型に活性化した強塩基型アニオン交換樹脂、三菱化学製ダイヤイオンSA-20Aをろ紙で十分水分を除去した後、陶器製の乳鉢で粉末状にしたものを10重量部加えて常温で３０分攪拌し、片ネルの濾過布と工業用ろ紙No１２６を重ね合せ、小型加圧濾過機で丁寧に濾過した。得られた樹脂溶液は加熱残分39.5％、固形分換算酸価50.2であった。得られたこの精製された樹脂溶液をＰＲ１とする。なお、粉末イオン交換樹脂の粒度は光学的粒度分布計CAPA500（堀場製）で測定したところ、35ミクロン以上500ミクロンの範囲にあり平均粒子径150ミクロンであった。
【００７９】
得られた樹脂溶液とイオン交換精製しない樹脂溶液を同じ加熱残分24%濃度に調整し＃16のバーコーターで良く洗った硝子板に塗布し６０℃で１０分間乾燥し透過率を測定した。その後、試料を250℃で６０分焼き付けて再び透過率を測定した。結果を表１に示した。
【００８０】
表から分かるようにイオン交換精製した樹脂は光学的に加熱履歴の影響を受け難くなることが実証されている。
表１．熱履歴前後の透過率％
2006299276.tif 000002
【００８１】
実施例4．樹脂中の極性基濃度を変えたバインダー樹脂の合成と精製
実施例３の合成法に準じた手法で、仕込組成、滴下組成、稀釈組成を下記の表２の如くして樹脂中の極性基濃度を変えたバインダー樹脂を合成した。
【００８２】
表２
2006299276.tif 000003
【００８３】
これらの得られた樹脂溶液Ｒ２、Ｒ３、Ｒ４、Ｒ５及びＲ６に対して、それぞれ、実施例３に示したイオン交換法を適用し、精製した樹脂溶液ＰＲ２、ＰＲ３、ＰＲ４、ＰＲ５及びＰＲ６をそれぞれ得た。これらの精製樹脂溶液の組成と性状を表３に示した。表３には実施例３の精製樹脂溶液ＰＲ１も合わせて記載した。
【００８４】
表３
2006299276.tif 000004
【００８５】
実施例５．フラッシング法で得た分散体の分子吸光係数の極性基濃度依存性
実施例１で得られた精製色素物質であるHeliogen Blue L6700F顔料の精製プレストケーキと実施例４で得られたＰＲ１からＰＲ５までの精製バインダー樹脂溶液を用いて、チップ状の固体分散体を試作した。
【００８６】
製法はフラッシング法で行なった。実施例１で得た加熱残分47.3%（残りは水分）の精製プレストケーキを用い、このケーキ中の顔料分対実施例４で得た精製樹脂溶液中の樹脂分の比が重量比で最終的に２対１（Ｐ／Ｂ＝２／１）になるように配合し、減圧蒸留機を備えた0.5Lのニーダーにより、９０℃以上の混練温度で、析出水を減圧蒸留しながら混練し、到達温度110℃以上になるまで混練を続け最終的に固形状の分散体を得る方法である。
【００８７】
具体的には、まずニーダーに２７０重量部のプレストケーキと５０重量部の樹脂溶液を仕込み、混練を開始する。
次いで、10分後に        樹脂溶液５０重量部を添加、
20分後に        樹脂溶液５０重量部を添加、
40分後に        樹脂溶液５０重量部とケーキ８０重量部を添加、
175分後に       樹脂溶液５０重量部とケーキ８０重量部を添加、
220分後に       樹脂溶液５６重量部とケーキ８８重量部を添加、
220分乃至295分  この間徐々に自動的にトルク増大と共に昇温され、
295分後に110℃に到達するので、ここで冷却し内容物を取り出して混練を終了させた。
【００８８】
得られた分散体をシート状にし、異なった5個所からｎ＝４でサンプリングし蛍光Ｘ線分析で銅原子の定量分析を行い、顔料濃度は均一であることを確認した。得られた分散体をＰＧＭ（プロピレングリコールモノメチルエーテル）又はＰＭＡで２５％濃度になるように高速攪拌機とペイントコンディショナーで完全溶解させた。溶剤と加熱残分は次の通りであった。
【００８９】
サンプル名    使用精製樹脂溶液    加熱残分％    使用溶剤
PR2-DFM          ＰＲ２            86.3        ＰＧＭ
PR3-DFM          ＰＲ３            93.6        ＰＧＭ
PR4-DFM          ＰＲ４            89.7        ＰＧＭ
PR5-DFM          ＰＲ５            93.1        ＰＧＭ
PR1-DFM          ＰＲ１            89.8        ＰＭＡ 
以上5点のサンプルは本発明における着色剤前駆体である。
【００９０】
このサンプルをスピンコート粘度まで一定希釈し、0.7ミクロンの厚みに硝子板にコートしスペクトル測定を行ない、それぞれの着色剤前駆体中における着色物質の分子吸光係数を求め、着色物質が置かれる雰囲気即ち、単位体積中の極性基濃度との関係を調べた。結果を表４に示した。
【００９１】
表４．着色剤前駆体中の精製L6700Fの分子吸光係数の雰囲気依存性
2006299276.tif 000005
表中、下記の実施例６記載の内容も合わせて記載した。
【００９２】
本実施例は下記の本発明の目的に関する重要事項を示している。
色素物質の分子吸光係数自体を高める手段は本発明における色素物質分散液のイオン交換精製工程だけであり、本発明における他の工程はその高められた値に限りなく接近せしめる手法となる。本発明の構成であるまず色素物質のイオン交換法で分子吸光係数を高め、これによりP/BのＢ（樹脂）を増加できる余地を作り、次いで、樹脂の役割である、極性基濃度を上げる効果とその質を高める組成を設計採用し、出来るだけ分子吸光係数の限界値に到達を可能ならしめ、この間のプロセス阻害因子を排除するという内容を如実に証明している。
【００９３】
実施例６．各種精製色素物質の分子吸光係数と酸性純液体中の極性基濃度との関係
【００９４】
実施例１における色素物質の精製法を適用し下記顔料：
Paliotol Yellow D1819
Irgaphor Red  B-CF
Heliogen Green L9361
を精製した。
【００９５】
これに、実施例１及び２における精製顔料：
Lionol Blue L6700F
Hostaperm Violet RL-Sp
を加えた、５点の精製色素物質について、液体の酸（純物質）中でのスペクトル測定を行い、色素物質の分子吸光係数の大きさが極性基の濃度の異なる雰囲気により如何に影響を受けるか調べた。測定法は希薄溶液での測定であるので、精製されたプレストケーキ中の水分は無視して、加熱残分測定値を用いて正確なｇ／ｇ濃度の溶液を作り、日立製分光光度計Ｕ３４００で吸光度を測定した。その測定値と液比重、色素物質の分子量から分子吸光係数を求めた。結果を表５に示す。
【００９６】
表５
2006299276.tif 000006
【００９７】
本実施例は色素物質の分子吸光係数が酸基の液体空間で示す濃度増加に応じてその価を増大させることを示している。実施例５は、樹脂と液体とのレベル差の存在はあるが、樹脂中でも液体中と同じ効果をもつ事を実証した。故に本実施例は本発明の色素物質一般への拡張の可能性を証明した。
【００９８】
比較例１．各種顔料についての純液体中の極性基濃度と分子吸光係数
実施例６に準じて極性基濃度の効果について塩基性物質を用いて調べた。結果を表６に示した。
【００９９】
表６
2006299276.tif 000007
【０１００】
塩基性雰囲気の分子吸光係数を高めるための効果は、殆どなく、非極性媒体であるヘキサンと同レベルであり、これらの極性基をバインダー樹脂に導入しても目的のための期待は出来ない。
【０１０１】
実施例７．溶解分散法での実証
本実施例では、精製色素物質と精製バインダー樹脂とで着色剤前駆体を得るに際し、現在の技術水準では到達しにくい分散手法が簡単に実施出来る使用例を示す。この手法は、精製色素物質と精製バインダー樹脂とを用いることで、分散阻害を起こす不純物電解質が低減されているから初めて可能になった手法である。
【０１０２】
実施例１の手法に準じてフタロシアニン顔料 ＥＣＢ−３０１ （大日精化製、ピグメントブルー１５：３）を精製し、加熱残分４０％のプレストケーキを得た。又、実施例４で得た精製バインダー樹脂ＰＲ６（加熱残分３９．２％）を用い、次の配合で混合し、高速攪拌機ディスパーザーで2000rpmで３０分攪拌し着色剤前駆体を造った。
【０１０３】
サンプル    プレストケーキ    バインダー樹脂ＰＲ６    Ｐ／Ｂ
Ｓ１        １０重量部          ５重量部            ２／１
Ｓ２        １０重量部          １０重量部          １／１
【０１０４】
これらを脱イオン水で1万倍に希釈してレーザー散乱方式の粒子径分布測定器（マイクロトラック製、ＵＰＡ）で粒子径を測定した。結果は次の通りであった。
Ｄ１０      Ｄ５０    Ｄ９０  
Ｓ１          0.1753      0.3642    3.2959
Ｓ２          0.1053      0.2079    1.9761  
【０１０５】
同様な手法で、実施例１のプレストケーキ顔料L6700Fを用い、ＰＲ６とでＰ／Ｂ＝１／１の条件でＳ３を作った。同じく粒子径分布を測定した。測定結果を示す。
【０１０６】
表７．  着色剤前駆体の粒子系分布
2006299276.tif 000008
【０１０７】
本実施例は、本発明の精製原料により、簡単に本発明の着色剤前駆体を作ることが出来ることを示している。
【０１０８】
実施例８．最終イオン交換工程の必要性
次に、本発明の最終工程がなぜ必要かを示す。
【０１０９】
実施例５で得た固形の着色剤前駆体PR2-DFM及びPR4-DFMを用い、下記配合で溶解した。
PR2-DFM                                  １重量部
PR4-DFM                                  ９重量部
NMP（N-メチル-2-ピロリドン）           ４０重量部
PK-208                                   １重量部
【０１１０】
ここで、PK-208（三菱化学製カチオン交換樹脂「ダイヤイオン」）は、Ｈ型に活性化したのち、６０℃で十分乾燥し、先行の実施例にならって粉末化したものを使用した。溶解は６０℃で1時間攪拌して行った。次いで８０メッシュナイロン濾過布で濾過した。
【０１１１】
得られた溶液を2分割し一方は8000rpmで10分、高速遠心分離し粘度測定を行なった。
【０１１２】
遠心分離の時、沈降は見られなかった。粘度測定結果は次の通りであった。
アイテム              遠心分離なし          遠心分離したもの
加熱残分  ％                19.1                     18.4
粘度測定詳細
5  rpm                  42.12 cps                39.36 cps
10  rpm                 34.92 cps
20  rpm                                          28.68 cps
【０１１３】
このデータから、最終工程として、着色剤前駆体のイオン交換を行えば、チキソトロピック特性の少ない着色剤が得られることが分かる。また、イオン交換後にさらに遠心分離を行うことにより、一層チキソトロピック特性の少ない着色剤が得られることが例証された。
【０１１４】
比較例２．着色剤前駆体の精製の効果
実施例８の最終工程の必要性を比較例で示す。実施例８とPK-208の添加をしない以外は全く同じ過程をふんで粘度測定をした。結果は次の通りであった。
【０１１５】
アイテム                 遠心分離なし           遠心分離したもの
加熱残分  ％                18.9                      17.7
粘度測定詳細
1  rpm                    553.2  cps              501.6  cps
2.5  rpm                  239.0  cps              234  cps      
【０１１６】
本比較例と実施例８から最終工程のイオン交換工程が如何に必要かが実証される。
【図面の簡単な説明】
【０１１７】
【図１】銅フタロシアニンブルー顔料L6700Fの分散液の精製前（ε（RAW））及び精製後（ε（EX））のスペクトル測定の結果を示す。
【図２】Hostaperm  Violet  RL-Spの分散液の精製前（ε（RAW））及び精製後（ε（EX））のスペクトル測定の結果を示す。
【図３】表４に示した、色素物質の分子吸光係数の雰囲気（媒体（ポリマー）中の極性基濃度、mol/ml）依存性を示すグラフである。
【図４】表４に示した、色素物質の分子吸光係数の雰囲気（極性基空間濃度（ポリマー＋色素物質中の濃度）、mol/ml）依存性を示すグラフである。
【図１】
2006299276.tif 000009
【図２】
2006299276.tif 000010
【図３】
2006299276.tif 000011
【図４】
2006299276.tif 000012